(57)【特許請求の範囲】
【請求項１】
４本の方向指示棒の各下端部を、印鑑本体の捺印文字近傍の周側面に形成した４個所の凹所にそれぞれ枢支し、かつ十字状に展開自在に枢支し、また各方向支持棒を印鑑本体の周側面に形成した４本の縦溝にそれぞれ収納できるように取り付けると共に、各方向指示棒の先端部に形成した係止用屈曲部片を印鑑本体の上面部にそれぞれ係止してなり、使用時には前記方向指示棒を印鑑本体の周側面と直交して、かつ前後左右へ長く拡げて展開状態にして書面などの捺印部位の位置決め探査を行って正確な方向及び位置で押印し得るようにしたことを特徴とする方向指示棒を有する印鑑。
【発明の詳細な説明】
【０００１】
【発明の属する技術分野】
本発明は、書面などの捺印部位に正確な方向及び位置で押印を行うことができる印鑑に関するものである。
【０００２】
【従来の技術】
一般に使用されている印鑑は断面が円形又は方形であり、所定の捺印部位に正確な押印を行う場合に、方形断面の印鑑にあっては四方を包囲する直線が利用されるものの、この直線が短尺なために正確な押印を行うことができず、他方、円形断面の印鑑にあっては感覚のみに依存するために正確な押印を行うことができず、従来から、正確な押印を行うための種々の方向指示手段を備えた印鑑が既に提案されている。
【０００３】
この方向指示できる印鑑を、図４に側面図で示した参考例により説明する。この印鑑は、特に捺印の正確性に欠ける円形横断面の印鑑であって、下面に文字１１が刻まれた印鑑主体１の周側面１２に、窪み部２１、小突起２２、ラベル２３などの何れかの方向指示部２を備えた構造であり、この印鑑の使用に際しては、使用者が目視や指の触覚によって方向指示部２の位置を捜し当てた上で把持し、更に、前記方向指示部２と所定の捺印部位とを目視により見当をつけて押印している。
【０００４】
【発明が解決しようとする課題】
しかしながら、上記従来の印鑑では、方向指示部２が指に覆われてしまい、押印する直前では方向指示部２を目視できなくなって感覚に依存する結果、印鑑は所定の捺印部位からズレて位置決めされ、かつ所定の方向に対して傾いた捺印文字しか得られなかった。
【０００５】
本発明は、このような従来の方向指示手段を備えた印鑑の有する問題に鑑みてなされたもので、人間のいい加減な感覚に依存することなく、気軽な印鑑押印操作により所定の捺印部位に正確に押印できるようにした方向指示棒を有する印鑑を提供するものである。
【０００６】
【課題を解決するための手段】
本発明は、４本の方向指示棒の各下端部を、印鑑本体の捺印文字近傍の周側面に形成した４個所の凹所にそれぞれ枢支し、かつ十字状に展開自在に枢支し、また各方向支持棒を印鑑本体の周側面に形成した４本の縦溝にそれぞれ収納できるように取り付けると共に、各方向指示棒の先端部に形成した係止用屈曲部片を印鑑本体の上面部にそれぞれ係止してなり、使用時には前記方向指示棒を印鑑本体の周側面と直交して、かつ前後左右へ長く拡げて展開状態にして書面などの捺印部位の位置決め探査を行って正確な方向及び位置で押印し得るようにしたことを特徴とする方向指示棒を有する印鑑である。
【０００７】
【発明の実施の形態】
以下、添付した図面に基づいて、本発明の実施形態について説明する。
【０００８】
本発明の印鑑１は、図３に平面図を示すように、印鑑本体３と４本の方向指示棒４本からなるものであって、印鑑本体３と同長の比較的長い４本の方向指示棒４が十字状に延びるように印鑑本体３に配置したものである。
また、図１に本発明の印鑑１の使用状態の説明図を示すごとく、印鑑本体３の捺印文字近傍の周側面に形成した凹所３３には、４本の方向指示棒４がそれぞれ展開自在に枢支されており、周側面に形成した縦溝３４にそれぞれ収納されるようになっている。さらに、方向指示棒４の先端部に形成した係止用屈曲部片４１を印鑑本体３の頂部にそれぞれ安定に、不測の離脱をすることなく係止し、使用時には前記の比較的長い方向指示棒４を印鑑本体３の周側面と直交して、かつ前後又は左右あるいは前後左右へ長く拡げて展開状態にして書面などの捺印部位の位置決め探査を簡易に行って正確な方向及び位置で押印し得るようになされている。
【０００９】
前記印鑑１は、上面には１つの凹部３１と下面には文字３２を備えるとともに、前記文字３２の近傍の周側面３０に凹所３３を形成した円形横断面からなる印鑑本体３と、嵌合突起４２が内向きに形成された係止用屈曲部片４１および軸支孔４４が形成された軸支部片４３を各端に備えた方向指示棒４とを連結したものであり、この連結は、印鑑本体３の凹所３３に方向指示棒４の軸支部片４３を挿入した後、方向指示棒４の軸支孔４４と印鑑本体３に形成したネジ孔（図示せず）とにネジ杆５を螺入することにより得られる。
【００１０】
なお、印鑑本体３の周側面には、方向指示棒４が収まる縦溝３４が形成されており、また、方向指示棒４の係止用屈曲部片４１は印鑑本体３の上面に露呈するように上面部に係止され、爪などによる係止用屈曲部片４１の係止の解除を可能にしている。
このような構造からなる印鑑の方向指示棒４は、使用前は、ネジ杆５を支点に印鑑本体３の周側面方向に回動（一点鎖線部を参照のこと）され、方向指示棒４における係止用屈曲部片４１の嵌合突起４２が印鑑本体３の凹部３１に嵌合係止されて印鑑本体３に係止されており、使用時は、嵌合突起４２と凹部３１との嵌合係止が解かれて印鑑本体３に対して直交するよう位置される。
【００１１】
図２は、図１に示した印鑑の押印作用状態を表す平面図であり、印鑑に刻まれた捺印文字（例えば、文字  印）としては文字３２が例示されており、方向指示棒４はその文字３２から突出する方向に延びている。また、押印の対象としては文字列６１の書面６が例示される。
この印鑑を使用して、文字列６１と捺印部位（例えば、文字  印）６２が記載された書面６における前記捺印部位６２に押印するには、印鑑本体３を、把持したままで書面６上を走査しながら捺印部位６２近傍に移動し、次いで方向指示棒４を文字列６１に並行になるように調整した後に押圧すればよいもので、捺印部位６２への正確な押印が達成される。
【００１２】
図３は、本発明の印鑑の実施状態を示すものであって、４本の方向指示棒が印鑑本体を中心にして前後左右に四方に延びた状態を示す平面図である。
この印鑑１は、図１に示したような形状と構造からなる印鑑本体３と方向指示棒４が採用され、さらに方向指示棒４を４本備え、しかもこの４本の方向指示棒４、・・が十字状に延びるように印鑑本体３に配置したものであり、次のように構成されている。
即ち、上面には４つの直交する凹部３１と下面に捺印文字３２を備えるとともに、前記捺印文字３２近傍の周側面３０に４つの直交する凹所３３を形成した円形横断面からなる印鑑本体３と、嵌合突起４２が内向きに形成された係止用屈曲部片４１および軸支孔４４が形成された軸支部片４３を各端に備えた４本の方向指示棒４とを連結したものであり、この連結は、印鑑本体３の凹所３３に方向指示棒４の軸支部片４３を挿入した後、方向指示棒４の軸支孔４４と印鑑本体３に形成したネジ孔（図示せず）とにネジ杆５を螺入することにより得られる。
【００１３】
このような構造からなる印鑑の４本の方向指示棒４は、図１に示したように、使用前は印鑑本体３に係止されており、使用時は印鑑本体３に対して直交するように位置されるもので、多種の押印操作を可能にする。例えば、４本の方向指示棒４を展開して突出させることにより、長い方向支持棒４によって、各方向指示棒４を書面に記載された文字列の（行）及び（列）に整合させて捺印部位に的確に押印することもできるものであり、各方向指示棒４の選択使用によって種々の形式からなる書面への適用を図ることができる。
【００１４】
【発明の効果】
以上の説明から理解できるように、本発明の４本の係止用屈曲部を備えた方向指示棒を有する印鑑は、方向指示棒を印鑑本体に展開自在に枢支した簡易な構造であって、印鑑本体の周側面に直交した展開状態の方向指示棒により書面などの捺印部位の位置決め探査を行い、捺印部位に正確な方向及び位置で容易、かつ的確に押印することができるものである。
【図面の簡単な説明】
【図１】本発明の４本の方向指示棒を有する印鑑の作用状態を示す説明図である。
【図２】図１に示した印鑑の押印作用状態を示す説明図である。
【図３】本発明の４本の方向指示棒を有する印鑑の平面図である。
【図４】従来の方向指示できる印鑑の側面図である。
【符号の説明】
１    印鑑
２   方向指示部
３    印鑑本体
３０  周側面
３１  凹部
３２  文字
３３  凹所
３４  縦溝
４   方向指示棒
４１  係止用屈曲部片
４２  嵌合突起
４３  軸支部片
４４  軸支孔
５   ネジ杆
６   書面
６０  文字列
６２  捺印部位
【図１】
0003691407.tif 000002
【図２】
0003691407.tif 000003
【図３】
0003691407.tif 000004
【図４】
0003691407.tif 000005